(57)【要約】【課題】回転軸筒のロータ支持部における領域が大型化することなく、ロータと回転軸筒との同芯度を確保できる魚釣用スピニングリールを提供する。【解決手段】本発明の魚釣用スピニングリールは、ロータ３に形成され回転軸筒９に対して回り止め嵌合される支持部３ｂの外周部と、回転軸筒９の外周部のそれぞれに嵌合する規制支持筒３０を有する。規制支持筒３０は、ロータ３の支持部３ｂの外周部に形成される円形外周部３ｅに対して嵌合支持される第１円形内周支持部３０ａと、回転軸筒９の外周部に形成される円形外周部９ｄに対して嵌合支持される第２円形内周支持部３０ｂと、を有する。【選択図】図２
2010193803.tif 000002
【特許請求の範囲】
【請求項１】
駆動歯車に噛合するピニオンを有する回転軸筒に、釣糸案内部を有するロータの支持部を嵌合して取り付け固定し、前記回転軸筒の内部に前部にスプールを有するスプール軸を前後動可能に挿入してなる魚釣用スピニングリールにおいて、
前記ロータに形成され前記回転軸筒に対して回り止め嵌合される支持部の外周部と、前記回転軸筒の外周部のそれぞれに嵌合する規制支持筒を設け、
前記規制支持筒は、前記支持部の外周部に形成される円形外周部に対して嵌合支持される第１円形内周支持部と、前記回転軸筒の外周部に形成される円形外周部に対して嵌合支持される第２円形内周支持部と、を有することを特徴とする魚釣用スピニングリール。
【請求項２】
前記規制支持筒は、リール本体の支持部と回転軸筒との間に設けられる転がり式一方向クラッチの転がり部材が摺接する内輪としての機能を有し、
前記規制支持筒は、前記回転軸筒に対して回り止め嵌合される非円形内周支持部を有することを特徴とする請求項１に記載の魚釣用スピニングリール。
【発明の詳細な説明】
【技術分野】
【０００１】
本発明は、ハンドルの回転操作に連動回転するロータに設けた釣糸案内部を介してスプールに釣糸を巻回する魚釣用スピニングリールに関する。
【背景技術】
【０００２】
一般的に、魚釣用スピニングリールは、ハンドルの回転操作で連動回転するロータを、動力伝達機構の一部を構成する回転軸筒の外周部に回り止め嵌合してナットで固定しているが、回転軸筒に対するロータの同芯度が出難くいという問題がある。すなわち、回転軸筒とロータとは、断面非円形の嵌合関係によって結合されているため、加工精度等の問題から両者の同芯度が出難く、好適なロータ回転バランスが得られず円滑な回転操作が実現できない、という問題がある。
【０００３】
そこで、回転軸筒とロータとの間の同芯度を高精度に確保するために、回転軸筒の外周支持部とロータの内周支持部とに、互いに回り止め嵌合する駆動結合部（回り止めされた嵌合関係）と、互いに同芯状に嵌合する同芯状結合部（回転可能な嵌合関係）とを、軸方向に沿って並設形成したものが特許文献１で提案されている。
【先行技術文献】
【特許文献】
【０００４】
【特許文献１】特開２００７−１１６９７１号
【発明の概要】
【発明が解決しようとする課題】
【０００５】
しかし、上記した公知技術では、前記駆動結合部と同芯状結合部とを、それぞれ軸方向に沿って並設した回転軸筒（ピニオン）の外周にロータ円筒部の内周を嵌合させる構成であるため、回転軸筒に対するロータ支持部が軸方向に大型化すると共に、回転軸筒も径方向に大型化してしまう。
【０００６】
また、回転軸筒（ピニオン）の外周に、逆転防止機構を構成する一方向クラッチの内輪を回り止め嵌合させているため、ロータと内輪との同芯度にズレが生じやすく、ロータ逆転時における一方向クラッチクラッチの楔作用の安定性に欠け、ストッパーの確実性に劣るという問題もある。
【０００７】
本発明は、上記した問題に着目してなされたものであり、回転軸筒のロータ支持部における領域が大型化することなく、ロータと回転軸筒との同芯度を確保できる魚釣用スピニングリールを提供することを目的とする。
【課題を解決するための手段】
【０００８】
上記した目的を達成するために、本発明は、駆動歯車に噛合するピニオンを有する回転軸筒に、釣糸案内部を有するロータの支持部を嵌合して取り付け固定し、前記回転軸筒の内部に前部にスプールを有するスプール軸を前後動可能に挿入してなる魚釣用スピニングリールにおいて、前記ロータに形成され前記回転軸筒に対して回り止め嵌合される支持部の外周部と、前記回転軸筒の外周部のそれぞれに嵌合する規制支持筒を設け、前記規制支持筒は、前記支持部の外周部に形成された円形外周部に対して嵌合支持される第１円形内周支持部と、前記回転軸筒の外周部に形成された円形外周部に対して嵌合支持される第２円形内周支持部と、を有することを特徴とする。
【０００９】
上記した構成の魚釣用スピニングリールによれば、規制支持筒を設けたことにより、ロータと回転軸筒とを、同芯度を確保して嵌合固定することが可能となる。すなわち、規制支持筒に設けられた第２円形内周支持部が、回転軸筒の外周部に形成された円形外周部に対して嵌合支持されることから、規制支持筒と回転軸筒との間の同芯度を確保することが可能となる。また、規制支持筒に設けられた第１円形内周支持部が、ロータの支持部の外周部に形成された円形外周部に対して嵌合支持されることから、規制支持筒とロータとの間の同芯度を確保することが可能となる。
【００１０】
したがって、上記した規制支持筒の嵌合関係により、ロータと回転軸筒とは、同芯度を確保して嵌合固定することが可能になると共に、回転軸筒に対するロータ支持部が軸方向に大型化することが抑制され、回転軸筒を径方向に小型化することも可能となる。
【発明の効果】
【００１１】
本発明によれば、回転軸筒のロータ支持部における領域が大型化することなく、ロータと回転軸筒との同芯度が確保された魚釣用スピニングリールが得られる。
【図面の簡単な説明】
【００１２】
【図１】本発明に係る魚釣用スピニングリールの第１の実施形態を示す図であり、内部構成を示した図。
【図２】図１に示す主要部の拡大図。
【図３】図２のＡ−Ａ線に沿った断面図。
【図４】図２のＢ−Ｂ線に沿った断面図。
【図５】図２のＣ−Ｃ線に沿った断面図。
【図６】本発明に係る魚釣用スピニングリールの第２の実施形態を示す図であり、主要部を拡大した図。
【図７】図６に示す実施形態の変形例を示す図。
【発明を実施するための形態】
【００１３】
以下、図面を参照しながら本発明に係る魚釣用スピニングリールの実施形態について説明する。  
図１及び図２は、本発明の第１の実施形態を示す図であり、図１は、内部構成を示す図、図２は、図１に示す主要部の拡大図である。
【００１４】
本実施形態の魚釣用スピニングリールのリール本体１には、釣糸案内部３ａを具備し回転駆動されるロータ３と、ロータ３の回転駆動と同期して前後動されるスプール４が設けられている。
【００１５】
前記リール本体１内には、ハンドル軸５が軸受を介して回転可能に支持されており、ハンドル軸５の端部には、巻き取り操作されるハンドル５Ａが装着されている。また、前記ハンドル軸５には、ハンドル５Ａの回転操作を、前記ロータ３に伝達すると共に、前記スプール４に伝達する動力伝達機構６が係合されている。
【００１６】
前記動力伝達機構６は、ハンドル軸５に一体回転可能に装着される駆動歯車（ドライブギヤ）７と、ハンドル軸５に対して直交する方向に延出し、軸受８ａ，８ｂを介して回転可能に支持された回転軸筒９とを備えている。この場合、回転軸筒９の基端側には、駆動歯車７と噛合するピニオン９ａが形成されている。また、回転軸筒９の先端部には、雄ネジ部９ｂが形成されており、この部分にロータナット１０を螺合することで、前記ロータ３が回転軸筒９に対して取り付けられている。
【００１７】
前記回転軸筒９は、軸方向に沿って貫通しており、その内部には、前部に釣糸が巻回される前記スプール４を保持したスプール軸４ａが挿通されている。このスプール軸４ａの基端側には、公知のオシレーティング機構１２が連結されており、前記ハンドル軸５がハンドル５Ａの回転操作によって回転されたとき、スプール軸４ａは軸方向に沿って前後往復駆動される。
【００１８】
前記スプール軸４ａと前記ロータナット１０との間には、軸受１４が介在されており、前記ロータ３を回転軸筒９に対して固定するロータナット１０を、回転可能に支持している。なお、軸受１４とスプール軸４ａとの間には、回転軸筒９の内周とスプール軸４ａの外周との間に僅かな隙間を形成して、スプール軸４ａが滑らかに前後往復動できるようにカラー１５が配設されている。
【００１９】
また、前記リール本体１内には、ロータ３の逆回転を防止する逆転防止機構２０が設けられている。本実施形態の逆転防止機構２０は、転がり式一方向クラッチによって構成されている。具体的には、リール本体１に対して回り止め固定される外輪２１と、外輪２１の内側に配設され、複数の転がり部材２２を保持した保持器２３とを備えている。前記外輪２１の内側には、各転がり部材２２をフリー回転可能とするフリー回転領域と、各転がり部材２２の回転を阻止する楔領域が形成されており、リール本体１の外部に突出するレバー２５を切換操作することで、リール本体内に延在する操作部材２５ａの係合部２５ｂを介して前記保持器２３を回動させ、前記転がり部材２２をフリー回転領域と楔領域に切り換え保持するようになっている。
【００２０】
前記転がり部材２２の内側には、前記回転軸筒９に対して一体回転可能となる内輪（後述するように芯出し機能を有する規制支持筒３０）が設置されており、レバー２５を切換操作して保持器２３を回動することで、回転軸筒９（すなわちロータ３）を、正逆転可能な状態／逆転防止状態に切り換えるよう構成されている。
【００２１】
上記した構成により、ハンドル５Ａを回転操作すると、前記オシレーティング機構１２を介してスプール４が前後に往復動し、かつロータ３が駆動歯車７及び回転軸筒（ピニオン９ａ）を介して回転駆動するため、スプール４には、ロータ３の釣糸案内部３ａを介して釣糸が均等に巻回される。
【００２２】
次に、前記ロータ３の回転軸筒９に対する取り付け態様について、図３から図５を併せて参照しながら説明する。なお、これらの図において、図３は、図２のＡ−Ａ線に沿った断面図、図４は、図２のＢ−Ｂ線に沿った断面図、そして、図５は、図２のＣ−Ｃ線に沿った断面図である。
【００２３】
前記ロータ３には、回転軸筒９に対して回り止め嵌合されるように、その中央部に、軸方向に突出（ロータ３の内壁３ｃに対して後方に向けて突出）する支持部３ｂが形成されている。この支持部３ｂは、回転軸筒９を挿通させるものであり、図３に示すように、その内周部３ｄは断面非円形に形成され、回転軸筒９の断面非円形の外周部９ｃとの間で回り止め嵌合されるよう構成されている。
【００２４】
また、前記支持部３ｂの突出した領域の外周部３ｅは、断面円形に形成されており（円形外周部を構成する）、規制支持筒３０の先端側が嵌合されている。ここで規制支持筒３０とは、回転軸筒９に沿ってカラー状の部材として構成されたものであり、ロータ３の回転軸筒９に対する同芯度を確保する機能を有する部材である。本実施形態における規制支持筒は、前記転がり式一方向クラッチ（逆転防止機構）２０の転がり部材２２が摺接する内輪としての機能を兼ね備えている。
【００２５】
前記規制支持筒３０には、前記ロータの支持部３ｂの突出した領域の外周部（円形外周部）３ｅに対して嵌合支持される第１円形内周支持部３０ａと、回転軸筒９の外周部に形成される円形外周部９ｄに対して嵌合支持される第２円形内周支持部３０ｂが形成されている。
【００２６】
また、規制支持筒３０の内面側には、回転軸筒９に対して回り止め嵌合される非円形内周支持部３０ｃが形成されている。この場合、非円形内周支持部３０ｃは、前記第１円形内周支持部３０ａと第２円形内周支持部３０ｂとの間に形成されており、これにより、図２に示すように、回転軸筒９の断面非円形の外周部９ｃを、そのまま軸方向後方側に延在させて非円形内周支持部３０ｃを回り止め嵌合させることが可能となっている。
【００２７】
上記した構成の魚釣用スピニングリールによれば、規制支持筒３０に設けられた第２円形内周支持部３０ｂが、回転軸筒９の外周部に形成された円形外周部９ｄに対して嵌合支持されることから、規制支持筒３０と回転軸筒９との間で同芯度が確保される。また、規制支持筒３０に設けられた第１円形内周支持部３０ａが、ロータ３の支持部３ｂの外周部に形成された円形外周部３ｅに対して嵌合支持されることから、規制支持筒３０とロータ３との間の同芯度が確保される。
【００２８】
したがって、ロータ３は、回転軸筒９に対して、断面非円形の内周部３ｄによって回り止め嵌合されるものの、上記した規制支持筒３０の嵌合関係により、ロータ３と回転軸筒９とは、同芯度を確保して嵌合固定することが可能になる。これにより、回転軸筒９に対するロータの支持部３ｂが軸方向に大型化することが抑制され、また、回転軸筒９を径方向に小型化することが可能となる。
【００２９】
さらに、本実施形態では、規制支持筒３０が、転がり式一方向クラッチ２０の内輪としての機能を備えていることから、ロータ３と内輪との間で同芯度のズレが無くなり、一方向クラッチの楔作用が安定して逆転防止機能の向上が図れるようになる。
【００３０】
上記した規制支持筒３０は、転がり式一方向クラッチ２０の内輪としての機能を兼ね備えることなく、芯出し機能を有する部材として構成されていても良い。例えば、図６に示す第２実施形態のように、リール本体１内に組み込まれる逆転防止機構５０は、ロータ３の内壁部に一体形成されるラチェット３Ａと、レバー２５（図１参照）を切換操作することで、リール本体内に延在する操作部材２５ａの係合部２５ｂを介してラチェット３Ａに係止されるストッパー５１とを備えたラチェット式ストッパーとして構成することが可能である。
【００３１】
このような構成では、規制支持筒３０Ａは、ロータ３の支持部３ｂの外周部に形成される円形外周部３ｅに対して嵌合支持される第１円形内周支持部３０ａと、回転軸筒９の外周部に形成される円形外周部９ｄに対して嵌合支持される第２円形内周支持部３０ｂとを備えていれば良く、これにより、ロータ３と回転軸筒９とは規制支持筒３０Ａを介して、同芯度を確保して嵌合固定することが可能になる。
【００３２】
なお、図６に示したラチェット式ストッパーとして構成された逆転防止機構５０は、図７に示すように、ラチェット５３を、回転軸筒９に対して回り止め嵌合した構造であっても良い。
【００３３】
以上のように、本発明に係る魚釣用スピニングリールは、ピニオンが形成された回転軸筒の外周に、規制支持筒を配設することで、回転軸筒に対するロータの同芯度を確保することが可能となる。
【符号の説明】
【００３４】
１  リール本体
３  ロータ
３ｂ  支持部
３ｅ  外周部（円形外周部）
４  スプール
９  回転軸筒
２０  逆転防止機構
３０  規制支持筒
３０ａ  第１円形内周支持部
３０ｂ  第２円形内周支持部
【図１】
2010193803.tif 000003
【図２】
2010193803.tif 000004
【図３】
2010193803.tif 000005
【図４】
2010193803.tif 000006
【図５】
2010193803.tif 000007
【図６】
2010193803.tif 000008
【図７】
2010193803.tif 000009